(57)【要約】【課題】  使用時にはワンタッチで複数のゴミ袋が容易に着脱でき、ゴミの投入がしやすく、未使用時には折り畳める容器の要らない折り畳み袋の口並列掛止傾斜ゴミ袋スタンドを提供する。【解決手段】  堅牢なパイプと継ぎ手部品を用い、外左右縦枠１，２と外上横枠３を９０度エルボ７でコの字形の外枠を成形し、同じく上面を任意の寸法低くした外枠に内設する内左右縦枠４，５と内上横枠６を９０度エルボ７で成形した内枠を外左右縦枠１，２の中央部分で回動可能に軸１１と軸止め１２でスペーサー１０を介して軸着する。外上横枠３と内上横枠６上面に一定間隔でビス９を螺着し外左右縦枠１，２の軸着部分上部にストッパー１３を設けると共に外枠と内枠の上面内側をチェーン１４で連結する。【選択図】図１
2013163575.tif 000002
【特許請求の範囲】
【請求項１】
堅牢なパイプと継ぎ手部品を用い、外左右縦枠と外上横枠を９０度エルボでコの字形の外枠を成形し、同じく上面を任意の寸法低くした外枠に内設する内左右縦枠と内上横枠を９０度エルボで成形した内枠を外左右縦枠の中央部分で回動可能に軸と軸止めでスペーサーを介して軸着する。外上横枠と内上横枠上面に一定間隔でビスを螺着し外左右縦枠の軸着部分上部にストッパーを設けると共に外枠と内枠の上面内側をチェーンで連結したことを特徴とする折り畳み袋の口並列掛止傾斜ゴミ袋スタンド。
【請求項２】
外左右縦枠の下部に９０エルボとパイプで外左右下横枠を任意の寸法で成形し下部にＴ形継ぎ手を用いて左右に外枠用キャスターを設け、内枠は外枠下面に内設する内左右縦枠と９０度エルボで連結した内下横枠で四角形を成形し下部にＴ形継ぎ手で左右に外枠用キャスターに内設する内枠用キャスターを設ける。更に、外枠と内枠を開いた状態で左右外下横枠と内下横枠の上に横架する鋼製丸形素材で格子形の袋底受けを内下横枠に回転可能に挟着継ぎ手で係着し、軸着部の軸内側にばね鋼製でＵ形受けを設けたことを特徴とする請求項１に記載の折り畳み袋の口並列掛止傾斜ゴミ袋スタンド。
【請求項３】
外枠と内枠を鉄パイプにプラスチィックをコーティングしたパイプとプラスチィック製の継ぎ手部品を用いて成形したことを特徴とする請求項１乃至２に記載の折り畳み袋の口並列掛止傾斜ゴミ袋スタンド。
【請求項４】
外枠と内枠を配管用パイプと配管用部品を用いて成形したことを特徴とする請求項１乃至２に記載の折り畳み袋の口並列掛止傾斜ゴミ袋スタンド。
【請求項５】
外枠と内枠を各種の鋼菅を用いて一体構造として成形したことを特徴とする請求項１に記載の折り畳み袋の口並列掛止傾斜ゴミ袋スタンド。
【請求項６】
外枠と内枠を合成樹脂で一体構造として成型したことを特徴とする請求項１に記載の折り畳み袋の口並列掛止傾斜ゴミ袋スタンド。
【請求項７】
外枠と内枠にビート加工したアルミ平板を用いて一体構造として成形したことを特徴とする請求項１に記載の折り畳み袋の口並列掛止傾斜ゴミ袋スタンド。
【発明の詳細な説明】
【技術分野】
【０００１】
本発明は堅牢なパイプと９０度エルボを用い、コの字形の外枠と外枠の上面より任意の寸法低く設定した内枠を回動可能に軸着し、両枠の上面に必要数のビスを設け、複数の袋が一度に掛止でき、着脱とゴミの投入が容易な容器の要らない折り畳み袋の口並列掛止傾斜ゴミ袋スタンドに関するものである。
【背景技術】
【０００２】
本発明者は、先に容器の要らない折り畳みゴミ袋の口保持傾斜スタンドとして、１例は、  
素材に四角形の木材を用いて、上外横枠と左右外縦枠を皿木ネジ又は木ダボで結合してなる上部より下部を任意の寸法広げた梯形コの字形の外枠に、Ｘ字形立設状態で外枠上面より任意の寸法上面を低く設定した上内横枠と左右内縦枠を同じく皿木ネジ又は木ダボで結合した梯形コの字形の内枠を内設し、中間部分を回動可能に皿小ネジと爪付ナットで座金を介して軸着し、外枠、内枠の左右縦枠の上部両側に上外、内横枠の下面延長線上の下部に切欠を設ける形態を提案している。（特許文献１）。
【０００３】
２例は、成形可能なL形の鋼材で上部より下部を任意の寸法広げた梯形コの字形に成形した内枠の外側に、同じく平形の鋼材で梯形コの字形に成形した外枠をＸ字形立設状態で内枠上面より任意の寸法上面を高く設定して外設し、中間部分を回動可能に軸と軸止めで軸着し、内枠と外枠の上部片側に内枠切欠と外枠切欠を設け、内枠片側の軸着付近下部に開き防止ストッパーを固着る形態を提案している。（特許文献２）
【０００４】
従来の袋に土を入れる土嚢詰めには通常二人がかりで、一人が袋を広げて、もう一人がスコップで土を入れる共同作業のため、二人の動きが合わないと作業効率が悪くなり怪我をする可能性も生じる。現在、一般に行われている一人で行う土嚢づくりは、バケツ、オイル缶等を筒の状態に加工し、上部に袋の口を被せておきスコップで土を投入する方法である。これらの作業を効率よく行う方法として平成２３年３月１１日の東日本大震災をきっかけとして土嚢作り用品が開発されている。１例は、平成２３年６月３０付の東京新聞に「土スタンド被災地下支え大田・町工場の技術結集」の記事が掲載されている。東京都大田区、区民、町工場がスクラムを組み、汚泥を処分する土のうを１人で作ることができる「土スタンド」を開発し宮城県東松島市へ６００個送っている。スタンドは土嚢袋がすっぽり納まる「プリン型」のかごで重さは約５００グラム、支柱とリング部分からなり細長い鉄板を溶接してつなぐ形態である。２例は、平成２３年９月２６付の日刊工業新聞に「土嚢づくり一人で」の記事が掲載されている。新潟県の三条商工会議所が開発したもので、計画されたスタンドは鉄製で、スタンドの内側に袋を入れ、袋の口の周りをスタンドに被せ、袋のひもをスタンド上部のフック部分に縛ることにより袋の口が開いた状態でスタンドに固定されるため一人で楽に土が詰められる形態である。既に、試作品は東日本大震災の被災地である福島県相馬市に寄贈されている。又、７月に記録的豪雨に見舞われた三条市でも実際使われたとのことである。いずれも発想は土嚢つくりをいかに効率よく行えるかでありどちらも同じ形態である。
【先行技術文献】
【特許文献】
【０００５】
【特許文献１】登実案第３１６６２１１号
【特許文献２】登実案第３１７２３２３号
【非特許文献】
【０００６】
【非特許文献１】東京新聞平成２３年６月３０日付記事
【非特許文献２】日刊工業新聞平成２３年９月２６日付記事
【発明の概要】
【発明が解決しようとする課題】
【０００７】
先の提案では、素材が木材で使用場所が屋外の場合には、長く使用していると雨水、土等で汚れが目立ち変形する可能性もあるので、使用する木材は変形が少なく一定の強度を必要とする。従って、間伐材、端材等は使用ができず材料費がかかり、更に、部材の結合による構成となるので製作工程多く製作コストが高くなり量産しての販売には適していない製品である。次の内枠をＬ形鋼、外枠を平形鋼の組み合わせはでは、平形鋼を補強加工すれば強度もあり機能面でも問題はないが、デザイン面と同一材料を使用していないので製作面で再考の必要性が生じた。東京都大田区と三条商工会議所開発製品は、土嚢詰め作業には効率はよいが１台で１袋なので作業状況によっては多数が必要となる。又、投入口が地面と平行なので投入時にはスコップの位置を高くしなければならず繰り返して作業を行う場合には負担になり、スタンドから袋を取り出す場合には袋を持ち上げなくてはならないので力の弱い人は連続作業が困難であると考えられる。以上より、これまでの提案と他の開発製品を参考にして発明が解決しようとする課題は、対候性と強度があり製作が容易で１台のスタンドに複数のゴミ袋が確実に装着できると共に作業効率がよい着脱容易な折り畳み袋の口並列掛止傾斜ゴミ袋スタンドを提供することである。
【課題を解決するための手段】
【０００８】
上記の課題を解決するための手段は、堅牢なパイプと継ぎ手部品を用い、外左右縦枠と外上横枠を９０度エルボでコの字形の外枠を成形し、同じく上面を任意の寸法低くした外枠に内設する内左右縦枠と内上横枠を９０度エルボで成形した内枠を外左右縦枠の中央部分で回動可能に軸と軸止めでスペーサーを介して軸着する。外上横枠と内上横枠上面に一定間隔でビスを螺着し外左右縦枠の軸着部分上部にストッパーを設けると共に外枠と内枠の上面内側をチェーンで連結する。
【発明の効果】
【０００９】
本発明の折り畳み袋の口並列掛止傾斜ゴミ袋スタンドは、現在ホームセンターで販売されている市販品（矢崎加工株式会社の製品名イレクター又は、スペーシア株式会社の製品名スペーシアを活用すればサイズは限定されるが軽量で強度がある製品をパイプの切断と部品の接着により容易に製作することができる。（イレクターとスペーシアは鉄パイプにプラスチィックをコーティングした直径２８ミリメートルのパイプとプラスチィック製のジョイント部品が各種ありこれらを組み合わせて接着し椅子、棚、台、ワゴン、犬サークル、テラス、バラアーチ、藤棚、盆栽棚、形屋根式サイドボックス等の作品例が多数カタログに掲載されている）又、配管用炭素鋼管（ＳＧＰ）、圧力配管用炭素鋼管（ＳＴＰＧ）、配管用ステンレス鋼管（ＳＵＳ）、アルミ管、合成樹脂配管材等はパイプとジョイント部品のサイズが各種あり用途、製作原価によってはこれらの中から選定した方がよい場合もある。上記の配管材及びアルミ管等を最小曲げ半径で成形すればジョイント部品は不要となる。形状がコの字形であっても袋の口を掛止するビスは上面内側に羅着するので袋の腹が両枠を圧迫して取り出しにくくなることはない。尚、強度を有する合成樹脂で成型すれば安価にて大量供給が可能となる。
【００１０】
外枠と内枠の断面形状は丸形を基本としているがアルミ平板をビート加工(平板を長さ方向へ任意の形状にプレスで押し出す)して強度を高めれば曲げ加工が容易に行えると共に軽量で取り扱いやすいゴミ袋スタンドとなる。ゴミ袋に入れる物が比較的軽くスタンドにあまり負担がかからない場合には有効に活用することができる。特に１台１袋用であれば家庭内外、ドライブ、キャンプ等でのゴミ収集には便利である。
【００１１】
折り畳み形式なので使用時にはワンタッチで設置でき、袋の口が上面のビスで確実に掛止でき投入口が傾斜しているのでゴミが入れやすい。作業途中でスタンドを移動させる場合においても、ゴミ袋の口がビスでしっかりと張設されているので外れにくく、ゴミ袋の取り外しも両枠を少し狭めて袋の口をビスから外してスタンド後方へ引き出せばよい。又、土嚢袋、ガラ袋等の口紐付の袋は、紐がビスに喰いこむのでスタンドからより外れにくくなる。未使用時には外枠と内枠が回動して一体とり外枠に設けたストッパーにより袋装着反対方向には開かない。尚、本スタンドは、袋の口を開口保持する目的の発明であり、袋に入れられた物の荷重は地面で受け、両枠は袋の形状を保持する役割として高さ寸法を設定する。寸法を高くしてビスで袋を吊り下げるのは袋の口が弱ければ破れたり外れたりする恐れがあるので避けたほうがよい。
【００１２】
通常のゴミ入れ容器は単体であり複数が必要な場合にはその数分を用意しなければならない。本発明品は、内枠と外枠の上面寸法を必要分伸ばし、上面に必要ゴミ袋分のビスを一定間隔で螺着することにより複数のゴミ袋を一度に装着することが出来る。
【００１３】
スタンドの大きさは袋の寸法により決まる。通常市販されているのは、家庭及び事業所用の容量４５Ｌ，７０Ｌ、９０Ｌのポリ袋及び主に事業所及び産業用のＰＥ製土嚢袋、ＰＰ製ガラ袋等の規格製品である。従って、それぞれの袋の規格に合わせての製作は、形状がほぼ同一なので寸法を変えるだけで容易に対応出来る。
【図面の簡単な説明】
【００１４】
【図１】折り畳み袋の口並列掛止傾斜ゴミ袋スタンドの斜視図である。
【図２】折り畳み袋の口並列掛止傾斜ゴミ袋スタンドの折り畳んだ正面図である。
【図３】折り畳み袋の口並列掛止傾斜ゴミ袋スタンドにゴミ袋を装着した正面図である。
【図４】折り畳み袋の口並列掛止傾斜ゴミ袋スタンドにゴミ袋を装着した側面図である。
【図５】折り畳み袋の口並列掛止傾斜ゴミ袋スタンドに袋底受けとキャスターを設けた斜視図である。
【図６】折り畳み袋の口並列掛止傾斜ゴミ袋スタンドに袋底受けとキャスターを設け折り畳んだ正面図である。
【図７】折り畳み袋の口並列掛止傾斜ゴミ袋スタンドに袋底受けとキャスターを設けゴミ袋を装着した側面図である。
【図８】折り畳み袋の口並列掛止傾斜ゴミ袋スタンドの外枠と内枠を一体構造とした斜視図である。
【図９】折り畳み袋の口並列掛止傾斜ゴミ袋スタンドの外枠と内枠にビート加工をしたアルミ平板を用いた斜視図である。
【発明を実施するための形態】
【００１５】
堅牢なパイプと９０度エルボで、コの字形の外枠に同じく上面を任意の寸法低くした内枠を内設して回動可能に軸着する。外枠と内枠の上面に一定間隔でゴミ袋の口が掛止するビスを螺着し外枠に全開防止のストッパーを設けると共に外枠と内枠の上面内側をチェーンで一定以上開かないように連結する。
【実施例１】
【００１６】
図１は、折り畳み袋の口並列掛止傾斜ゴミ袋スタンドの斜視図で３枚のゴミ袋が装着できる。外左右縦枠１，２と外上横枠３を９０度エルボで７コの字形に成形した外枠に、左右内縦枠４，５と外上横枠３より任意の寸法低くした内上横枠６を９０度エルボ７で成形した同形内枠を外枠に内設し外枠の中央部分で回動可能に軸１１と軸止め１２でスペーサー１０を介して軸着する。外左右縦枠１，２と内左右縦枠４，５の下端にはゴムキャップ８を挿入し、外上横枠３と内上横枠６の上面にビス９を一定間隔で計１２個螺着する。外左右縦枠１，２の軸着部上方に折り畳み時に裏側開き防止用のストッパー１３と、外枠と内枠がゴミ袋の装着時に一定以上開くのを防止するチェーン１４を両枠の上面内側に設ける。
【実施例２】
【００１７】
図２は、折り畳み袋の口並列掛止傾斜ゴミ袋スタンドの折り畳んだ正面図である。内枠が外枠に内設し上面が低く軸着されているので折り畳んだ時に一体化する。Ａ−Ａ断面は外枠と内枠の軸着部分断面図である。スペーサー１０は９０度エルボ７の肉厚分が必要である。本例では、軸１１にボルト、軸止め１２に緩み止めナットを使用しているが確実に軸着できればピン、リベット等他の部品を使用してもよい。Ｂ−Ｂ断面は外枠と内枠が裏側に開くのを防止するストッパー部分の断面図である。外左右縦枠１，２にストッパー１３を固着することにより内左右縦枠４，５がストッパー１３の凸部分に当接するのでこれ以上は開かない。尚、ストッパー１３は内左右縦枠４，５が係止すれば板、ビス等他の物であってもよい。
【実施例３】
【００１８】
図３は、折り畳み袋の口並列掛止傾斜ゴミ袋スタンドにゴミ袋（半透明）を装着した正面図、図４は側面図である。ゴミ袋の口は外枠と内枠上面のビス９の頭に４箇所で掛止し四角形の投入口が傾斜して張設されるので外れにくくゴミも入れやすい。又、土嚢袋、ガラ袋等の口紐付は口紐がビス９の胴に掛かり上には頭があるので外れることは無い。袋の取り外しは、袋に入れられた物の荷重は地面で受ける寸法に設定しておくことにより袋の口の一箇所に力を加えて外せば他は外れた状態になっているので後方へ引き出すだけで容易に行える。
【実施例４】
【００１９】
図５は、折り畳み袋の口並列掛止傾斜ゴミ袋スタンドに袋底受けとキャスターを設けた斜視図、図６折り畳んだ正面図であるである。外左右縦枠１，２の下部に内側斜めの補強部を除去した９０度エルボ２３で端キャップ２８付の外下左右下横枠２１，２２とＴ継ぎ手２４でブレーキ付の外枠キャスター２５を設ける。内左右縦枠４，５は同じく９０度エルボ２３で内下横枠２６を連結して四角形を形成しＴ継ぎ手２４で内枠キャスター２７を外枠キャスター２５に内設する位置に設ける。袋底受け２９は丸形鋼製の素材を格子状の四角形とし、外枠と内枠を開いた状態で外下左右横枠２１，２２と内下横枠２６の上面を覆う。袋底受け２９の後方は内下横枠２６に挟着継ぎ手３０で回動可能に挟着し、前方は外下左右横枠２１，２２に横架させる。Ｃ−Ｃ断面は袋底受け２９を内下横枠２６に回動可能に挟着した断面図である。挟着継ぎ手３０の内側凹部で袋底受け２９の後部を包持して固着すれば蝶番は不要で回動可能となる。Ｄ−Ｄ断面は外枠と内枠を折り畳んだ時に袋底受け２９を仮止めした状態である。軸３２を外枠から内枠に差込みバネ平鋼製のＵ形受け３３を貫入して軸止め３４で固定する。これにより折り畳んだ時に袋底受け２９の側部がＵ形受け３３に入込み後方は軸３２に係止し、前方はＵ形受け３３で仮止めされるので折り畳み時に安定した状態を保つことが出来る。尚、外枠キャスター２５と内枠キャスター２７は外枠と内枠が開いた状態で垂直に取り付けられているので折り畳んだ時にはそれぞれが外側に傾斜した状態となる。
【実施例５】
【００２０】
図７は、折り畳み袋の口並列掛止傾斜ゴミ袋スタンドに袋底受けとキャスターを設けゴミ袋（半透明）を装着した側面図である。スタンドに装着されたゴミ袋に入れられたゴミは袋底受け２９で保持され下面に取り付けられた外内キャスター２５，２７で容易に他の場所へ移動させることができる。袋底受け２９が格子形の為、ゴミ袋の底が破れて汁がでる場合、少量であれば新聞紙とかダンボールを敷いて対応し多ければければ専用トレーを別途用意する必要がある。
【実施例６】
【００２１】
図８は、折り畳み袋の口並列掛止傾斜ゴミ袋スタンドの外枠と内枠を一体構造とした斜視図である。外枠と内枠が一体となるのでジョイント部品は不要となるが曲げ加工が可能な素材に限定され分解することができない。外枠と内枠を内設し、軸４２と軸止め４３で軸着し、外枠と内枠上面に必要数のビス４１を羅着し下部にはパイプキャップ４６を挿入する。後方開き防止のストッパー４４を外枠に設け、袋装着方向のチェーン４２は外枠と内枠の上側面に設ける。Ｅ−Ｅ断面は外枠と内枠を軸４２と軸止め４３で軸着し折り畳んだ状態の断面図である。ストッパー４４が内枠に当設して後方への開きを防止する。本例ではストッパー４４にビスを使用しているが平鋼、形鋼等他の物であってもよい。尚、ジョイント部品が無いのでスペーサーは不要となる。
【実施例７】
【００２２】
図９は、折り畳み袋の口並列掛止傾斜ゴミ袋スタンドの外枠と内枠にビート加工をしたアルミ平板を用いた斜視図である。アルミ平板をビート加工することにより曲げ強度は増し曲げ加工は容易なので両枠にかかる荷重が多くない場合には軽量で取り扱いやすい製品となる。外枠と内枠の加工面同士を内設し間にストッパー５２を挿入して軸５３と軸止め５４で軸着する。外枠と内枠上面に必要数のビス５１を羅着するが平板なので裏側をナットで締着すればしっかりと固定する。Ｆ−Ｆ断面は軸着部に前後開き防止用のストッパー５２を軸５３と軸止め５４で軸着と併用して設けた断面図である。ストッパー５２は、内枠に当接する部分が後方への開きを防止し、前方には外枠にゴミ袋装着時に全開しない位置で作用する。従って、外観もシンプルな形状となり製作工程も少ないので安価にて提供することが出来るが多数のゴミ袋を装着するには強度不足になる可能性もある。
【産業上の利用可能性】
【００２３】
ゴミは家庭内外、道路沿い、公園、河川敷、事務所、工場、公共施設、各種イベント等あらゆる場所で発生するが、これらのゴミはほとんどゴミ袋に入れられる。ゴミ袋には一般に使用されているポリ袋と、産業用として工事現場とか災害現場で多く使用されている口紐付のＰＥ製土嚢袋とＰＰ製のガラ袋がある。本提案の折り畳み袋の口並列掛止傾斜ゴミ袋スタンドは従来の各種スタンドと比較すると、１台のゴミ袋スタンドに複数のゴミ袋が装着できるので各種イベントにおいての分別収集には最適でありキャスターを設ければより有効に活用することが出来る。又、袋に専用の網を用いれば折り畳み式のゴミステーションとなる。道ばたにそのまま置かれた家庭のゴミ袋は犬、猫、カラス等に破られゴミが散乱している光景がよく見られ不衛生であり後片付けも大変である。本スタンドはゴミ袋の数によって大きさが変更できるので装着する網に合わせて製作すれば周辺の環境を清潔な状態に保つことが出来る。又、未使用時には折り畳み移動して保管が出来るので常時設置できない場所には使い勝手のよいゴミステーションとして利用で出来る。
【００２４】
ゴミの収集時においてはスタンドの開閉とゴミ袋の着脱が容易に行えると共に袋内のゴミも外から確認できるので安全性が高く、作業も効率的に行うことができる。従って、あらゆる場所で発生するゴミに対しての利用の可能性は高い。素材にプラスチック仕様の部品を使用すれば規格品が使用でき接着液による結合が容易に行える為に最小単位での梱包が可能で輸送費が大幅に削減できる。従って、目的により効率のよい素材を使用することにより最大効果が得られる折り畳み袋の口並列掛止傾斜ゴミ袋スタンドを安価にて提供することが出来る。
【００２５】
災害時において土嚢袋は準備、対応、後片付け等に必需品であり、通常は１人１組で土嚢袋に対処しているが、本提案の折り畳み袋の口並列掛止傾斜ゴミ袋スタンドを使用すれば一人での作業が可能となり、投入口が傾斜しているので作業効率が大幅に向上する。例えば、１台に土嚢袋が５袋装着できるスタンドを使用すれば単純計算で２×１０人必要の作業を１人で行える。又、ワンタッチ感覚で組み立てと折り畳みが行えるのと、未使用時には折り畳むことにより保管場所が少なくて済み移送も容易に行える。
【符号の説明】
【００２６】
１    外左縦枠
２    外右縦枠
３    外上横枠
４    内左縦枠
５    内右縦枠
６    内上横枠
７    ９０度エルボ
８    ゴムキャップ
９    ビス
１０  スペーサー
１１  軸
１２  軸止め
１３  ストッパー
１４  チェーン
２１  外下左横枠
２２  外下右横枠
２３  ９０度エルボ
２４  Ｔ継ぎ手
２５  外枠キャスター
２６  内下横枠
２７  内枠キャスター
２８  端キャップ
２９  袋底受け
３０  挟着継ぎ手
３１  スペーサー
３２  軸
３３  Ｕ形受け
３４  軸止め
４１  ビス
４２  軸
４３  軸止め
４４  ストッパー
４５  チェーン
４６  パイプキャップ
５１  ビス
５２  ストッパー
５３  軸
５４  軸止め
【図１】
2013163575.tif 000003
【図２】
2013163575.tif 000004
【図３】
2013163575.tif 000005
【図４】
2013163575.tif 000006
【図５】
2013163575.tif 000007
【図６】
2013163575.tif 000008
【図７】
2013163575.tif 000009
【図８】
2013163575.tif 000010
【図９】
2013163575.tif 000011